(57)【要約】  ユーザ情報管理方法では、第１のネットワーク要素がユーザ機器（ＵＥ）無線ベアラコンテキストのセットアップ要求メッセージを第２のネットワーク要素に送信する。セットアップ要求メッセージは、第１関連付けフラグ、シグナリング無線ベアラ（ＳＲＢ）に関する構成情報、又はＳＲＢ伝送チャネルアップリンクアドレスに関する情報を含む。第２のネットワーク要素によりフィードバックされたＵＥ無線ベアラコンテキストのセットアップ応答メッセージを受信すると、第１のネットワーク要素はＵＥ無線ベアラコンテキストの情報が第２のネットワーク要素により確立されたと判定する。セットアップ応答メッセージは、第２ネットワーク要素により設定されたＳＲＢに関する構成情報、変更されたＳＲＢに関する構成情報、第２のＵＥ関連付けフラグ、ＳＲＢ伝送チャネルダウンリンクアドレスに関する情報、又は構成変更のための原因値のうち少なくとも１つの情報を含む。【選択図】図３
2020511087.tif 000002
【特許請求の範囲】
【請求項１】
ユーザ情報管理方法において、
第１のネットワーク要素によって、ユーザ機器（ＵＥ）無線ベアラコンテキストのセットアップ要求メッセージを第２のネットワーク要素に伝送する手順であって、前記セットアップ要求メッセージは、第１のＵＥ関連付けフラグ、シグナリング無線ベアラ（ＳＲＢ）に関する構成情報、又はＳＲＢ伝送チャネルアップリンクアドレスに関する情報のうちの少なくとも１つを含み、フロントホールインタフェースは、前記第１のネットワーク要素と前記第２のネットワーク要素との間に存在する手順と、
前記第２のネットワーク要素によってフィードバックされたＵＥ無線ベアラコンテキストのセットアップ応答メッセージを受信すると、前記第１のネットワーク要素によって、前記ＵＥ無線ベアラコンテキストの情報が第２のネットワーク要素によって確立されると判定する手順であって、前記セットアップ応答メッセージは、前記第２のネットワーク要素によって設定されたＳＲＢに関する構成情報、変更されたＳＲＢに関する構成情報、第２のＵＥ関連付けフラグ、ＳＲＢ伝送チャネルダウンリンクアドレスに関する情報、及び構成変更のための原因値のうちの少なくとも１つを含む手順と、
を含む、ユーザ情報管理方法。
【請求項２】
前記第１のネットワーク要素が、前記第２のネットワーク要素に前記セットアップ要求メッセージを伝送した後、前記第２のネットワーク要素によってフィードバックされた前記ＵＥ無線ベアラコンテキストのセットアップ失敗メッセージを受信すると、前記第１のネットワーク要素によって、前記第２のネットワーク要素における前記ＵＥ無線ベアラコンテキストの情報のセットアップが失敗したと判定する手順を更に備え
前記セットアップ失敗メッセージは、前記第２のＵＥ関連付けフラグ及び失敗の原因のうちの少なくとも１つを含む、請求項１に記載のユーザ情報管理方法。
【請求項３】
前記ＵＥ無線ベアラコンテキストの情報が前記第２のネットワーク要素によって確立されることを判定した後に、前記第２のネットワーク要素において前記無線ベアラコンテキストの情報が再構成される必要があると判定されると、第１のネットワーク要素によって、ＵＥ無線ベアラコンテキストの再構成要求メッセージを前記第２のネットワーク要素に送信し、
前記再構成要求メッセージは、前記第２のＵＥ関連付けフラグ、データ無線ベアラ（ＤＲＢ）に関する構成情報、ＤＲＢ伝送チャネルアップリンクアドレスに関する情報、変更されたＳＲＢに関する構成情報、及びＵＥ能力調整情報のうちの少なくとも１つを含み、
前記第２のネットワーク要素によってフィードバックされた前記ＵＥ無線ベアラコンテキストの再構成応答メッセージを受信すると、第１のネットワーク要素によって、前記第２のネットワーク要素が前記ＵＥ無線ベアラコンテキストの情報の再構成を完了したと判定し、前記再構成応答メッセージは、前記第２のネットワーク要素によって設定されたＤＲＢに関する構成情報、変更されたＤＲＢに関する構成情報、第２のＵＥ関連付けフラグ、ＤＲＢ伝送チャネルダウンリンクアドレスに関する情報、変更されたＳＲＢに関する構成情報、及びＵＥ能力のうちの少なくとも１つを含む、請求項１に記載の方法。
【請求項４】
前記ＤＲＢ伝送チャネルアップリンクアドレスに関する情報は、各ＵＥの伝送チャネルアップリンクアドレス、各プロトコルデータユニット（ＰＤＵ）セッションの伝送チャネルアップリンクアドレス、各サービスフローの伝送チャネルアップリンクアドレス、又は各ＤＲＢのＤＲＢ伝送チャネルアップリンクアドレスを含む、請求項３に記載の方法。
【請求項５】
前記ＤＲＢ伝送チャネルダウンリンクアドレスに関する情報は、各ＵＥの伝送チャネルダウンリンクアドレス、各プロトコルデータユニット（ＰＤＵ）セッションの伝送チャネルダウンリンクアドレス、各サービスフローの伝送チャネルダウンリンクアドレス、又は各ＤＲＢのＤＲＢ伝送チャネルダウンリンクアドレスを含む、請求項３に記載の方法。
【請求項６】
前記第１のネットワーク要素が前記ＵＥ無線ベアラコンテキストの再構成要求メッセージを前記第２のネットワーク要素に送信した後、前記第２のネットワーク要素によってフィードバックされたＵＥ無線ベアラコンテキストの再構成失敗メッセージを受信すると、前記第１のネットワーク要素により、前記第２のネットワーク要素での前記ＵＥ無線ベアラコンテキストの情報の再構成が失敗したと判定し、
前記再構成失敗メッセージは、前記第２のＵＥ関連付けフラグ及び失敗の原因の少なくとも１つの情報を含む、請求項３に記載の方法。
【請求項７】
前記ＵＥ無線ベアラコンテキストの情報が前記第２のネットワーク要素によって確立されたと判定した後、前記方法は
前記第２のネットワーク要素における前記ＵＥ無線ベアラコンテキストの情報を解放する必要があると判定されると、前記第１のネットワーク要素によって、前記ＵＥ無線ベアラコンテキストの解放コマンドメッセージを前記第２のネットワーク要素に送信し、前記解放コマンドメッセージは、前記第２のＵＥ関連付けフラグ及び失敗の原因のうちの少なくとも１つを含み、
前記第２のネットワーク要素から前記ＵＥ無線ベアラコンテキストの解放完了メッセージを受信すると、前記第１のネットワーク要素によって、前記第２のネットワーク要素での前記ＵＥ無線ベアラコンテキストの情報が解放されていると判定され、前記解放完了メッセージは第２のＵＥ関連付けフラグを含む、
請求項１に記載の方法。
【請求項８】
前記第１のＵＥ関連付けフラグは、ＵＥを一意に識別するために前記第１のネットワーク要素によって割り当てられたアプリケーション層プロトコル（ＡＰ）識別子（ＩＤ）、又は一時的なモバイル加入者ＩＤ（Ｓ−ＴＭＳＩ）、又は無線アクセスネットワークによりＵＥを識別するための一意のＩＤを含み、
前記第２のＵＥ関連付けフラグは、ＵＥを一意に識別するために第１のネットワーク要素によって割り当てられたインタフェースＡＰ  ＩＤと、ＵＥ又はＳ−ＴＭＳＩ又はＲＡＮ  ＵＥ  ＩＤを一意に識別するために前記第２のネットワーク要素によって割り当てられたインタフェースＡＰ  ＩＤとを含む、
請求項１〜７のいずれか１項に記載の方法。
【請求項９】
ユーザ情報管理のためのシステムであって、
第１のネットワーク要素と第２のネットワーク要素とを備え、フロントホールインタフェースが前記第１のネットワーク要素と前記第２のネットワーク要素との間に存在し、
前記第１のネットワーク要素は、
ユーザ機器（ＵＥ）無線ベアラコンテキストのセットアップ要求メッセージを第２ネットワーク要素に送信し、前記第２のネットワーク要素からフィードバックされた前記ＵＥ無線ベアラコンテキストのセットアップ応答メッセージの受信時に、前記第２のネットワーク要素でＵＥ無線ベアラコンテキストの確立情報を判定するように構成されたコンテキストセットアップ要求モジュールを備え、前記セットアップ要求メッセージは、第１のＵＥ関連付けフラグ、シグナリング無線ベアラ（ＳＲＢ）に関する構成情報、及びＳＲＢ伝送チャネルアップリンクアドレスに関する情報のうちの少なくとも１つを含み、
前記第２のネットワーク要素は、
前記第１のネットワーク要素からＵＥ無線ベアラコンテキストのセットアップ要求メッセージを受信すると、前記ＵＥ無線ベアラコンテキストの情報をローカルに確立し、セットアップが成功した後、前記第１のネットワーク要素に前記ＵＥ無線ベアラコンテキストのセットアップ要求メッセージをフィードバックバックするように構成されたコンテキストセットアップモジュールを備え、前記セットアップ要求メッセージは、少なくとも、
前記第２ネットワーク要素によって設定されたＳＲＢに関する構成情報、変更されたＳＲＢに関する構成情報、第２のＵＥ関連付けフラグ、ＳＲＢ伝送チャネルダウンリンクアドレスに関する情報、または構成変更用の原因値に関する情報のうちの１つの情報を含む、システム。
【請求項１０】
前記コンテキストセットアップモジュールは、更に、前記ＵＥ無線ベアラコンテキストの情報の確立に失敗した場合、前記ＵＥ無線ベアラコンテキストのセットアップ失敗メッセージを前記第１のネットワーク要素にフィードバックするように構成され、前記セットアップ失敗メッセージは、前記第２のＵＥ関連付けフラグ、及び失敗の原因のうちの少なくとも１つの情報を含む、請求項９に記載のシステム。
【請求項１１】
前記第１のネットワーク要素は、コンテキスト再構成要求モジュールをさらに備え、
前記第２のネットワーク要素は、コンテキスト再構成モジュールをさらに備え、
前記コンテキスト再構成要求モジュールは、前記第２のネットワーク要素におけるＵＥ無線ベアラコンテキストの情報を再構成する必要があると判定されると、前記ＵＥ無線ベアラコンテキストの再構成要求メッセージを第２のネットワーク要素に送信し、前記第２のネットワーク要素によってフィードバックされる前記ＵＥ無線ベアラコンテキストの再構成応答メッセージを受信すると、前記第２のネットワーク要素が、前記ＵＥ無線ベアラコンテキストの情報の再構成を完了したと判定するよう構成され、
前記再構成要求メッセージは、前記第２のＵＥ関連付けフラグ、データ無線ベアラ（ＤＲＢ）に関する構成情報、ＤＲＢ伝送チャネルアップリンクアドレスに関する情報、変更されたＳＲＢに関する構成情報、及びＵＥ能力調整情報のうちの少なくとも１つの情報を含み、
前記コンテキスト再構成モジュールは、前記第１のネットワーク要素から前記ＵＥ無線ベアラコンテキストの再構成要求メッセージを受信すると、前記ＵＥ無線ベアラコンテキストの確立された情報を再構成し、前記再構成が成功した場合、前記ＵＥ無線ベアラコンテキストの再構成応答メッセージをフィードバックするように構成され、
前記再構成応答メッセージは、前記第２のネットワーク要素によって設定されたＤＲＢに関する構成情報、変更されたＤＲＢに関する構成情報、前記第２のＵＥ関連付けフラグ、ＤＲＢ伝送チャネルダウンリンクアドレスに関する情報、変更されたＳＲＢに関する構成情報、又はＵＥ能力調整情報のうちの少なくとも１つの情報を含む、請求項９に記載のシステム。
【請求項１２】
前記ＤＲＢ伝送チャネルアップリンクアドレスに関する情報は、各ＵＥの伝送チャネルアップリンクアドレス、各プロトコルデータユニット（ＰＤＵ）セッションの伝送チャネルアップリンクアドレス、各サービスフローの伝送チャネルアップリンクアドレス、又は各ＤＲＢのＤＲＢ伝送チャネルアップリンクアドレスを含む、請求項１１に記載のシステム。
【請求項１３】
前記ＤＲＢ伝送チャネルダウンリンクアドレスに関する情報は、各ＵＥの伝送チャネルダウンリンクアドレス、各ＰＤＵセッションの伝送チャネルダウンリンクアドレス、各サービスフローの伝送チャネルダウンリンクアドレス、または各ＤＲＢのＤＲＢ伝送チャネルダウンリンクを含む、請求項１１に記載のシステム。
【請求項１４】
前記コンテキスト再構成モジュールは、
前記再構成が失敗したときに、前記ＵＥ無線ベアラコンテキストの再構成失敗メッセージを前記第１のネットワーク要素にフィードバックするようにさらに構成され
前記再構成失敗メッセージは、第２のＵＥ関連付けフラグ及び失敗の原因のうちの少なくとも１つの情報を含む、請求項１１に記載のシステム。
【請求項１５】
前記第１のネットワーク要素は、コンテキスト解放要求モジュールをさらに備え、
前記第２のネットワーク要素は、コンテキスト解放モジュールをさらに備え、
前記コンテキスト解放要求モジュールは、前記第２のネットワーク要素において前記ＵＥ無線ベアラコンテキストの情報を解放する必要があると判定すると、前記ＵＥ無線ベアラコンテキストの解放コマンドメッセージを前記第２のネットワーク要素に送信するように構成され、
前記コマンドメッセージは、第２のＵＥ関連付けフラグ及び解放の原因のうちの少なくとも１つの情報を含み、
前記コンテキスト解放モジュールは、前記ＵＥ無線ベアラコンテキストの解放コマンドメッセージの受信時にコンテキスト解放を実行し、前記ＵＥ無線ベアラコンテキストの解放完了メッセージを前記第１のネットワーク要素にフィードバックするように構成され、
前記解放完了メッセージは、前記第２のＵＥ関連付けフラグを含む、
請求項９に記載のシステム。
【請求項１６】
第１のＵＥ関連付けフラグは、ＵＥを一意に識別するために前記第１のネットワーク要素によって割り当てられたアプリケーション層プロトコル（ＡＰ）識別子（ＩＤ）、又は一時的なモバイル加入者ＩＤ（Ｓ−ＴＭＳＩ）、
又は無線アクセスネットワークによりＵＥを識別するための一意のＩＤを含み、
前記第２のＵＥ関連付けフラグは、ＵＥを一意に識別するために前記第１のネットワーク要素によって割り当てられたインタフェースＡＰ  ＩＤと、ＵＥ又はＳ−ＴＭＳＩ又はＲＡＮ  ＵＥを一意に識別するために前記第２のネットワーク要素によって割り当てられたインタフェースＡＰ  ＩＤとを含む、
請求項９〜１５のいずれか１項に記載のシステム。
【請求項１７】
ユーザ情報管理のためのシステムであって、
第１のネットワーク要素と第２のネットワーク要素とを備え、
フロントホールインタフェースが前記第１のネットワーク要素と前記第２のネットワーク要素との間に存在し、
前記第１のネットワーク要素は、第１のメモリと第１のプロセッサとを備え、前記第１のメモリにはコンピュータ命令が格納され、前記第１のプロセッサはコンピュータ命令を実行して方法を実施し、
前記方法は、
ユーザ機器（ＵＥ）の無線ベアラコンテキストのセットアップ要求メッセージを前記第２のネットワーク要素に送信し、
前記第２のネットワーク要素によりフィードバックされたＵＥ無線ベアラコンテキストのセットアップ応答メッセージを受信すると、前記第２のネットワーク要素によりＵＥ無線ベアラコンテキストの情報が確立されていると判定し、
前記セットアップ要求メッセージは、第１のＵＥ関連付けフラグ、シグナリング無線ベアラ（ＳＲＢ）に関する構成情報、又はＳＲＢ伝送チャネルアップリンクアドレスに関する情報のうちの少なくとも１つの情報を含み、
前記第２のネットワーク要素は、第２のメモリと第２のプロセッサとを備え、
前記第２のメモリにはコンピュータ命令が格納され、前記第２のプロセッサはコンピュータ命令を実行して方法を実施し、
前記方法は、
前記第１ネットワーク要素からＵＥ無線ベアラコンテキストのセットアップ要求メッセージを受信すると、前記ＵＥ無線ベアラコンテキストの情報をローカルに確立し、セットアップが成功すると、ＵＥ無線ベアラコンテキストのセットアップ応答メッセージを前記第１ネットワークにフィードバックし、
前記セットアップ応答メッセージは、前記第２のネットワーク要素によって設定されたＳＲＢに関する構成情報、変更されたＳＲＢに関する構成情報、第２のＵＥ関連付けフラグ、ＳＲＢ伝送チャネルダウンリンクアドレスに関する情報、及び構成変更用の原因値のうちの少なくとも１つの情報を含む、システム。
【請求項１８】
前記第２のプロセッサは、更に、前記ＵＥ無線ベアラコンテキストの情報の確立に失敗すると、前記ＵＥ無線ベアラコンテキストの確立失敗メッセージを前記第１のネットワーク要素にフィードバックするように構成され、
前記セットアップ失敗メッセージは、前記第２のＵＥ関連付けフラグ、及び失敗の原因のうちの少なくとも１つの情報を含む、請求項１７に記載のシステム。
【請求項１９】
前記第１のプロセッサは、
前記第２のネットワーク要素における前記ＵＥ無線ベアラコンテキストの情報の再構成が必要であると判定されると、前記ＵＥ無線ベアラコンテキストの再構成要求メッセージを前記第２のネットワーク要素に送信し、且つ、前記第２のネットワーク要素によってフィードバックされるＵＥ無線ベアラコンテキストの再構成応答メッセージを受信すると、前記第２のネットワーク要素が前記ＵＥ無線ベアラコンテキストの情報の再構成を完了したと判定するよう構成され、
前記再構成要求メッセージは、前記第２のＵＥ関連付けフラグ、データ無線ベアラ（ＤＲＢ）の構成情報、ＤＲＢ伝送チャネルアップリンクアドレスに関する情報、変更されたＳＲＢに関する構成情報、又はＵＥ能力調整情報のうちの少なくとも１つの情報を含み、
前記第２のプロセッサは、前記ＵＥ無線ベアラコンテキストの再構成要求メッセージを受信すると、前記ＵＥ無線ベアラコンテキストの確立された情報を再構成し、前記再構成が成功すると、前記ＵＥ無線ベアラコンテキストの再構成応答メッセージを前記第１のネットワーク要素にフィードバックするように構成され、
前記構成応答メッセージは、
前記第２のネットワーク要素によって設定されたＤＲＢに関する構成情報、変更されたＤＲＢに関する構成情報、前記第２のＵＥ関連付けフラグ、ＤＲＢ伝送チャネルダウンリンクアドレスに関する情報、変更されたＳＲＢに関する構成情報、又はＵＥ機能調整情報のうちの少なくとも１つの情報を含む、
請求項１７に記載のシステム。
【請求項２０】
前記ＤＲＢ伝送チャネルアップリンクアドレスに関する情報は、各ＵＥの伝送チャネルアップリンクアドレス、各プロトコルデータユニット（ＰＤＵ）セッションの伝送チャネルアップリンクアドレス、各サービスフローの伝送チャネルアップリンクアドレス、及び各ＤＲＢのＤＲＢ伝送チャネルアップリンクアドレスを含む、請求項１９に記載のシステム。
【請求項２１】
前記ＤＲＢ伝送チャネルダウンリンクアドレスに関する情報は、各ＵＥの伝送チャネルダウンリンクアドレス、各ＰＤＵセッションの伝送チャネルダウンリンクアドレス、各サービスフローの伝送チャネルダウンリンクアドレス、又は各ＤＲＢのＤＲＢ伝送チャネルダウンリンクアドレスを含む、請求項１９に記載のシステム。
【請求項２２】
前記第２のプロセッサは、更に、前記再構成が失敗したときに、前記ＵＥ無線ベアラコンテキストの再構成失敗メッセージを前記第１のネットワーク要素にフィードバックするように構成され、
前記再構成失敗メッセージは、前記第２のＵＥ関連付けフラグ及び失敗の原因のうち、少なくとも１つの情報を含む、請求項１９に記載のシステム。
【請求項２３】
前記第１のプロセッサは、更に、前記第２のネットワーク要素において前記ＵＥ無線ベアラコンテキストの情報が解放される必要があると判定されると、前記ＵＥ無線ベアラコンテキストの解放コマンドメッセージを前記第２のネットワーク要素に送信するように構成され、
前記解放コマンドメッセージは、前記第２のＵＥ関連付けフラグ及び失敗の原因のうちの少なくとも１つの情報を含み、
前記第２のプロセッサは、更に、前記ＵＥ無線ベアラコンテキストの前記解放コマンドメッセージを受信するとコンテキスト解放を実行し、前記ＵＥ無線ベアラコンテキストの解放完了メッセージを前記第１のネットワーク要素にフィードバックするように構成され、
前記解放完了メッセージは、前記第２のＵＥ関連付けフラグを含む、
請求項１７に記載のシステム。
【請求項２４】
前記第１のＵＥ関連付けフラグは、ＵＥを一意に識別するために前記第１のネットワーク要素によって割り当てられたアプリケーション層プロトコル（ＡＰ）識別子（ＩＤ）、又は一時的なモバイル加入者ＩＤ（Ｓ−ＴＭＳＩ）、又は無線アクセスネットワークによりＵＥを識別するための一意のＩＤを含み、
前記第２のＵＥ関連付けフラグは、ＵＥを一意に識別するために第１のネットワーク要素によって割り当てられたインタフェースＡＰ  ＩＤと、ＵＥ又はＳ−ＴＭＳＩ又はＲＡＮ  ＵＥ  ＩＤを一意に識別するために前記第２のネットワーク要素によって割り当てられたインタフェースＡＰ  ＩＤとを含む、
請求項１７〜２３のいずれか１項に記載のシステム。
【請求項２５】
請求項１〜８のいずれか一項に記載の方法を実行するように構成されたコンピュータ可読命令を記憶する、コンピュータ可読記憶媒体。
【発明の詳細な説明】
【技術分野】
【０００１】
本開示は、無線通信システムの技術分野に関し、例えば、ユーザ情報管理のための方法及びシステムに関する。
【背景技術】
【０００２】
第５世代移動通信（５Ｇ）では、大規模な接続、及びユーザによる一層高速化の要求は、ロングタームエボリューション（ＬＴＥ）におけるベースバンド処理ユニット（ＢＢＵ）と無線遠隔ユニット（ＲＲＵ）との間のフロントホールインタフェース（すなわち、共通公衆無線インタフェース（ＣＰＲＩ））の伝送容量に大きな課題を提起する。
ＣＰＲＩインタフェースを介して伝送されるものは、物理層符号化及び変調によって処理される同相（Ｉ）信号及び直交（Ｑ）信号であるので、ＣＰＲＩインタフェースは、伝送遅延及び帯域幅に対する高い要求を有する。
【発明の概要】
【課題を解決するための手段】
【０００３】
ユーザ情報管理の方法は、以下の手順を含む。
【０００４】
第１ネットワーク要素が、ユーザ装置（ＵＥ）無線ベアラセットアップ要求メッセージを第２ネットワーク要素に伝送する手順。このとき、セットアップ要求メッセージは、少なくとも、第１のＵＥ関連付けフラグ、シグナリング無線ベアラ（ＳＲＢｓ）の構成情報、及びＳＲＢ伝送チャネルアップリンクアドレスについての情報のうちの少なくとも１つの情報を含むか、又は、フロントホールインタフェースが、第１ネットワーク要素及び第２ネットワーク要素の間に存在する。
【０００５】
第２ネットワーク要素からフィードバックされたＵＥ無線ベアラコンテキストのセットアップ応答メッセージを受信すると、第１ネットワーク要素は、ＵＥ無線ベアラコンテキストの情報が第２ネットワーク要素によって確立されたと判定する手順。このとき、セットアップ応答メッセージは、第２ネットワーク要素によって設定されるＳＲＢについての構成情報、ＳＲＢについての変更された構成情報、第２のＵＥ関連付けフラグ、ＳＲＢ伝送チャネルダウンリンクアドレスについての情報、又は構成変更のための原因値のうちの少なくとも１つを含む。
【０００６】
ユーザ情報管理のためのシステムは、第１のネットワーク要素と第２のネットワーク要素とを含む。第１のネットワーク要素と第２のネットワーク要素との間にはフロントホールインタフェースが存在する。
【０００７】
第１のネットワーク要素は、ユーザ機器（ＵＥ）無線ベアラコンテキストのセットアップ要求メッセージを第２ネットワーク要素に送信し、第２ネットワーク要素によりフィードバックされたＵＥ無線ベアラコンテキストのセットアップ応答メッセージが受信されると、第２ネットワーク要素によって確立されたＵＥ無線ベアラコンテキストの情報を判定するように構成されたコンテキストセットアップ要求モジュールを含む。ここで、セットアップ要求メッセージは、第１のＵＥ関連付けフラグ、シグナリング無線ベアラ（ＳＲＢｓ）に関する構成情報、又はＳＲＢ伝送チャネルアップリンクアドレスに関する情報のうちの少なくとも１つを含む。
【０００８】
第２のネットワーク要素は、第１のネットワーク要素からＵＥ無線ベアラコンテキストのセットアップ要求メッセージを受信すると、ＵＥ無線ベアラコンテキストの情報をローカルに確立し、セットアップが成功すると、ＵＥ無線ベアラコンテキストのセットアップ応答メッセージをフィードバックするように構成されたコンテキストセットアップモジュールを含む。ここで、セットアップ応答メッセージは、第２ネットワーク要素によって設定されたＳＲＢに関する構成情報、ＳＲＢｓに関する変更された構成情報、第２のＵＥ関連付けフラグ、ＳＲＢ伝送チャネルダウンリンクアドレスに関する情報、又は構成変更用の原因値のうちの少なくとも１つを含む。
【０００９】
ユーザ情報管理のためのシステムは、第１のネットワーク要素と第２のネットワーク要素を含み、フロントホールインタフェースは、第１のネットワーク要素と第２のネットワーク要素の間に存在する。
【００１０】
ここで、第１のネットワーク要素は、第１のメモリ及び第１のプロセッサを含み、第１のメモリにはコンピュータ命令が格納され、第１のプロセッサはコンピュータ命令を実行して以下の方法を実施する。
【００１１】
この方法は、ユーザ機器（ＵＥ）無線ベアラコンテキストのセットアップ要求メッセージを第２のネットワーク要素に送信し、第２のネットワーク要素によってフィードバックされたＵＥ無線ベアラコンテキストのセットアップ応答メッセージを受信すると、第２のネットワーク要素においてＵＥ無線ベアラコンテキストの情報を確立する。ここで、セットアップ応答メッセージは、第１のＵＥ関連付けフラグ、シグナリング無線ベアラ（ＳＲＢ）に関する構成情報、又はＳＲＢ伝送チャネルアップリンクアドレスに関する情報の少なくとも１つを含む。
【００１２】
第２のネットワーク要素は、第２のメモリ及び第２のプロセッサを含み、第２のメモリにはコンピュータ命令が格納され、第２のプロセッサはコンピュータ命令を実行して以下の方法を実施する。
【００１３】
第１のネットワーク要素からＵＥ無線ベアラコンテキストのセットアップ要求メッセージを受信すると、ＵＥ無線ベアラコンテキストの情報をローカルに確立し、セットアップが成功すると、ＵＥ無線ベアラコンテキストのセットアップ応答メッセージを第１のネットワーク要素にフィードバックする。セットアップ応答メッセージは、第２ネットワーク要素によって設定されたＳＲＢに関する構成情報、変更されたＳＲＢに関する構成情報、第２のＵＥ関連付けフラグ、ＳＲＢ伝送チャネルダウンリンクアドレスに関する情報、又は構成変更のための原因値のうちの少なくとも１つを含む。
【００１４】
コンピュータで読取可能な記録媒体は、コンピュータで読取可能な命令を格納し、上述した方法を実行するよう構成される。
【図面の簡単な説明】
【００１５】
【図１】第１のネットワーク要素と第2のネットワーク要素との間のフロントホールインタフェースの概略図である。
【図２】第１のネットワーク要素と第2のネットワーク要素との間の可能な機能分割を示す図である。
【図３】一実施形態によるユーザ情報管理のための方法のフローチャートである。
【図４】一実施形態によるユーザ情報管理のための方法のフローチャートである。
【図５】一実施形態によるユーザ情報管理のための方法のフローチャートである。
【図６】一実施形態によるユーザ情報管理のための方法のフローチャートである。
【図７】一実施形態によるユーザ情報管理のための方法のフローチャートである。
【図８】一実施形態によるユーザ情報管理のための方法のフローチャートである。
【図９】一実施形態に係るユーザ情報管理システムの構成ブロック図である。
【図１０】一実施形態に係るユーザ情報管理システムの構成ブロック図である。
【発明を実施するための形態】
【００１６】
５Ｇシステムにおけるエアインタフェース率が数十ギガビット／秒（Ｇｂｐｓ）に増加される場合、ＣＰＲＩインタフェースのトラフィック需要は、テラビット／秒（Ｔｂｐｓ）のオーダーまで上昇する。トラフィック需要の増加は、ネットワーク配備コスト及び配備の困難性に多大な圧力をもたらす。このため、５Ｇシステムでは、フロントホールインタフェースの分割モードを再定義する必要がある。フロントホールインタフェースの分割モードは、伝送容量、伝送遅延、及び配備の利便性が考慮される。例えば、非理想的なフロントホール伝送を考慮すると、遅延に敏感でないネットワーク機能は、第１のネットワーク要素（例えば、集中ユニット（ＣＵ））に配置され、遅延に敏感なネットワーク機能は、第２のネットワーク要素（分散ユニット（ＤＵ）など）に配置される。第１のネットワーク要素と第２のネットワーク要素との間のデータは、理想的なフロントホール及び非理想的なフロントホールのうちの少なくとも１つを介して伝送される。伝送インタフェースはフロントホールインタフェースと呼ばれ、第１のネットワーク要素と第２のネットワーク要素との間のフロントホールインタフェースが図１に示されている。
【００１７】
第１のプロトコルエンティティは、無線リソース制御（ＲＲＣ）を含み、第２のプロトコルエンティティは、パケットデータ収束プロトコル（ＰＤＣＰ）を含み、第３のプロトコルエンティティは、無線リンク制御（ＲＬＣ）を含み、第４のプロトコルエンティティは、メディアアクセス制御（ＭＡＣ）、物理層、及び無線周波数ユニットを含む。一実施形態では、第１のネットワーク要素及び第２のネットワーク要素は、異なるプロトコルエンティティを含み、例えば、第１のネットワーク要素は、第１のプロトコルエンティティ及び第２のプロトコルエンティティを含み、第２のネットワーク要素は、上述のような他のプロトコルエンティティを含む。
【００１８】
第１のネットワーク要素は、フロントホールインタフェースを介して第２のネットワーク要素と通信する。
【００１９】
以下の実施形態によって提供されるユーザ情報を管理するための方法及びシステムは、第１のネットワーク要素と第２のネットワーク要素との間のフロントホールインタフェース上でユーザ情報管理を実施することができる。
【００２０】
以下の実施形態では、第１のネットワーク要素及び第２のネットワーク要素は、フロントホールインタフェースを介して情報を交換する。一実施形態では、フロントホールは理想的なフロントホールである。一実施形態では、フロントホールは、非理想的なフロントホールである。理想的なフロントホールの伝送遅延は、比較的小さく、例えば、十マイクロ秒から数百マイクロ秒であり、非理想的なフロントホールの伝送遅延は、比較的大きく、例えば、数ミリ秒のオーダーである。理想的なフロントホールと非理想的なフロントホールとの間の区別のために、第１のネットワーク要素と第２のネットワーク要素とは、異なる機能分割を有する。例えば、第１のネットワーク要素はＣＵであり、第２のネットワーク要素はＤＵであり、ＣＵ及びＤＵは互いに分離され、ＣＵに含まれる機能及びＤＵに含まれる機能が図２に示されている。
【００２１】
オプション１では、ＲＲＣ及びＰＤＣＰは、同時通信（ＤＣ）における１Ａ構造と同様に、互いに分離される。すなわち、ＲＲＣはＣＵに位置し、ＰＤＣＰ、ＲＬＣ、イーサネット（登録商標）ＭＡＣ、物理層（ＰＨＹ）、及び無線周波数（ＲＦ）及び他の機能はＤＵに位置する。すなわち、ユーザプレーン（ＵＰ）全体がＤＵ内に位置する。
【００２２】
オプション２では、ＰＤＣＰ及びＲＬＣは、ＤＣにおける３Ｃ構造と同様に、互いに分離される。すなわち、ＲＲＣ及びＰＤＣＰは、ＣＵ内に位置し、ＲＬＣ、ＭＡＣ、ＰＨＹ、及びＲＦ機能は、ＤＵ内に位置する。
【００２３】
オプション３では、ＲＬＣの上位層がＲＬＣの下位層から分離される。ＲＬＣ（ＲＬＣの部分機能）、ＭＡＣ、ＰＨＹ、及びＲＦ部分の下位層はＤＵに位置し、ＲＲＣ、ＰＤＣＰ、及びＲＬＣ（ＲＬＣの部分機能）機能の上位層はＣＵに位置する。
【００２４】
オプション４では、ＲＬＣ及びＭＡＣは互いに分離され、ＭＡＣ、ＰＨＹ、及びＲＦはＤＵ内に位置し、ＲＲＣ、ＰＤＣＰ、及びＲＬＣ機能はＣＵ内に位置する。
【００２５】
オプション５では、ＭＡＣの内部機能が分離されている。いくつかのＭＡＣ機能（ＨＡＲＱ（Hybrid Automatic Repeat Request）など）、ＰＨＹ、及びＲＦは、ＤＵ内に配置される。図２の他の上位層の機能は、ＣＵ内に配置される。
【００２６】
オプション６では、ＭＡＣ及びＰＨＹは互いに分離され、ＭＡＣ、ＰＨＹ、及びＲＦはＤＵ内に位置し、ＲＲＣ、ＰＤＣＰ、及びＲＬＣ機能はＣＵ内に位置する。
【００２７】
オプション７では、ＰＨＹの内部機能が分離され、いくつかのＰＨＹ機能及びＲＦがＤＵ内に配置され、図２の他の上位層機能がＣＵ内に配置される。
【００２８】
オプション８では、ＰＨＹとＲＦが分離され、ＲＦ機能がＤＵ内に配置され、他の上位層の機能がＣＵ内に配置される。
【００２９】
一実施形態では、ユーザ情報は、ＵＥ無線ベアラコンテキストを含む。
【００３０】
一実施形態では、ユーザ情報管理を実施するプロセスは、以下の側面、すなわち、第１のネットワーク要素（ＣＵ）と第２のネットワーク要素（ＤＵ）との間のＵＥ無線ベアラコンテキスト確立プロセスを介して、第２のネットワーク要素においてユーザコンテキスト情報を確立する工程と、ＵＥ無線ベアラコンテキスト再構成プロセスを介して、第２のネットワーク要素においてユーザコンテキスト情報を再構成する工程と、ＵＥ無線ベアラコンテキスト解放プロセスを介して、第２のネットワーク要素においてユーザコンテキスト情報を削除する工程から詳細に説明される。一実施形態では、ユーザコンテキスト情報は、ＵＥ無線ベアラ情報を含む。
【００３１】
一実施形態は、ユーザ情報管理のための方法を提供する。図３に示すように、この方法は以下のステップを含む。
【００３２】
ステップ３０１において、第１のネットワーク要素は、ＵＥ無線ベアラコンテキストのセットアップ要求メッセージを第２のネットワーク要素に伝送する。
【００３３】
第１のネットワーク要素と第２のネットワーク要素との間にフロントホールインタフェースがある。
【００３４】
セットアップ要求メッセージは、第１のＵＥ関連付けフラグ、シグナリング無線ベアラ（ＳＲＢ）に関する構成情報、及びＳＲＢ伝送チャネルアップリンクアドレスに関する情報（例えば、第１のネットワーク要素のアドレス）のうちの１つ又は複数を含む。
【００３５】
一実施形態では、第１のＵＥ関連付けフラグは、ＵＥを一意に識別するために第１のネットワーク要素によって割り当てられたアプリケーション層プロトコル（ＡＰ）識別子（ＩＤ）、又は一時的なモバイル加入者識別情報（Ｓ-ＴＭＳＩ）、又は無線アクセスネットワークによってＵＥを識別するための一意的なＩＤを含む。
【００３６】
一実施形態では、ＳＲＢに関する構成情報は、第１のネットワーク要素によって割り当てられたＳＲＢ１（例えば、エアインタフェースを介したＲＲＣシグナリング伝送のために使用される）及びＳＲＢ２（例えば、シグナリングを測定するために使用される）の構成情報である。
【００３７】
一実施形態では、ＳＲＢは、ストリーム制御伝送プロトコル（ＳＣＴＰ）を使用することによって伝送される。第１のネットワーク要素と第２のネットワーク要素との間には、１つのＳＣＴＰチャネルのみが存在し、セットアップ要求メッセージは、ＳＲＢ伝送チャネルアップリンクアドレスを含まない。
【００３８】
一実施形態では、ＳＲＢは、ユーザプレーン汎用パケット無線サービス（ＧＰＲＳ）トンネリングプロトコルユーザ（ＧＴＰ−Ｕ）を使用して伝送され、データ無線ベアラ（ＤＲＢ）伝送と同様に、第２のネットワーク要素は、ＳＲＢにＧＰＴ−Ｕアドレスを割り当て、ＧＰＴ−Ｕアドレスは、トランスポートネットワーク層（ＴＮＬ）アドレス及びトンネル終点識別子（ＴＥ  ＩＤ）を含む。
【００３９】
ステップ３０２において、第２のネットワーク要素によってフィードバックされたＵＥ無線ベアラコンテキストのセットアップ応答メッセージを受信すると、第１のネットワーク要素は、ＵＥ無線ベアラコンテキストの情報が第２のネットワーク要素によって確立されることを判定する。セットアップ応答メッセージは、第２のＵＥ関連付けフラグ、ＳＲＢに関する構成情報、ＳＲＢ伝送チャネルダウンリンクアドレスに関する情報（例えば、第２のネットワーク要素アドレス）、及び原因値のうちの１つ又は複数の情報を含む。
【００４０】
一実施形態では、第２のＵＥ関連フラグは、ＵＥを一意に識別するために第１のネットワーク要素によって割り当てられるインタフェースＡＰ  ＩＤと、ＵＥ、又はＳ-ＴＭＳＩ、又はＲＡＮ  ＵＥ  ＩＤとを一意に識別するために第２のネットワーク要素によって割り当てられるインタフェースＡＰ  ＩＤとを含む。
【００４１】
一実施形態では、ＳＲＢに関する構成情報は、第２のネットワーク要素によってセットアップされるＳＲＢに関する構成情報、又は変更されたＳＲＢに関する構成情報を含む。一実施形態では、変更されたＳＲＢに関する構成情報は、ＤＵがリソース占有に従ってＳＲＢ構成を変更した後のＳＲＢ構成情報である。
【００４２】
一実施形態では、原因値は、第２のネットワーク要素が構成を変更する原因である。
【００４３】
一実施形態では、ステップ３０２において、第１のネットワーク要素が、ＵＥ無線ベアラコンテキストのセットアップ要求メッセージを第２のネットワーク要素に伝送した後、第２のネットワーク要素は、ＵＥ無線ベアラコンテキストの情報の確立に失敗した場合に、ＵＥ無線ベアラコンテキストのセットアップ失敗メッセージを第１のネットワーク要素にフィードバックする。第１のネットワーク要素が、第２のネットワーク要素によってフィードバックされたＵＥ無線ベアラコンテキストのセットアップ失敗メッセージを受信すると、第１のネットワーク要素は、第２のネットワーク要素がＵＥ無線ベアラコンテキストの情報を確立することに失敗したと判定する。セットアップ失敗メッセージは、第２のＵＥ関連フラグ及び失敗の原因のうちの１つ又は複数の情報を含む。
【００４４】
一実施形態では、第２のＵＥ関連付けフラグは、ＵＥを一意に識別するために第１のネットワーク要素ＣＵによって割り当てられるインタフェースＡＰ  ＩＤと、第２のネットワーク要素によってＵＥに一意に割り当てられるインタフェースＡＰ  ＩＤとを含む。一実施形態では、第２のＵＥ関連付けフラグは、Ｓ-ＴＭＳＩを含む。一実施形態では、第２のＵＥ関連付けフラグは、ＲＡＮ  ＵＥ  ＩＤを含む。
【００４５】
上記に鑑みて、前述の実施形態におけるＵＥ無線ベアラコンテキストを確立するプロセスでは、第１のネットワーク要素及び第２のネットワーク要素は、ネットワーク要素間のフロントホールインタフェース上でユーザ情報管理を実施するように、第２のネットワーク要素においてユーザコンテキスト情報を確立することができる。
【００４６】
一実施形態は、ユーザ情報を管理する方法を提供する。ＵＥ無線ベアラコンテキストの情報を確立するための方法の後に、方法は、ＵＥ無線ベアラコンテキストを変更するためのプロセスをさらに含む。図４に示すように、再構成プロセスは以下のステップを含む。
【００４７】
ステップ４０１において、第１のネットワーク要素は、ＵＥ無線ベアラコンテキストの情報が第２のネットワーク要素において再構成される必要があることを判定すると、ＵＥ無線ベアラコンテキストの再構成要求メッセージを第２のネットワーク要素に伝送する。再構成要求メッセージは、第２のＵＥ関連付けフラグ、データ無線ベアラ（ＤＲＢ）に関する構成情報、ＤＲＢ伝送チャネルアップリンクアドレスに関する情報、変更されたＳＲＢに関する構成情報、又はＵＥ能力調整情報のうちの１つ又は複数を含む。
【００４８】
一実施形態では、第２のＵＥ関連付けフラグは、ＵＥを一意に識別するために第１のネットワーク要素によって割り当てられるインタフェースＡＰ  ＩＤと、ＵＥを一意に識別するために第２のネットワーク要素によって割り当てられるインタフェースＡＰ  ＩＤとを含む。一実施形態では、第２のＵＥ関連付けフラグは、Ｓ-ＴＭＳＩを含む。一実施形態では、第２のＵＥ関連付けフラグは、ＲＡＮ  ＵＥ  ＩＤを含む。
【００４９】
一実施形態では、ＤＲＢに関する構成情報は、第１のネットワーク要素によって割り当てられた１つ又は複数のＤＲＢに関連する構成情報である。
【００５０】
一実施形態では、ＤＲＢ伝送チャネルアップリンクアドレスに関する情報は、
−  各ＵＥの伝送チャネルアップリンクアドレス、各ＰＤＵセッションの伝送チャネルアップリンクアドレス（ＳＥＳＳＩＯＮ）、各サービスフローの伝送チャネルアップリンクアドレス（ＦＬＯＷ）、又は各ＤＲＢの伝送チャネルアップリンクアドレスのうちの１つの形態である。
【００５１】
一実施形態では、ＤＲＢ伝送チャネルアップリンクアドレスに関する情報は、ＵＥベースの伝送チャネルアップリンクアドレス、ＰＤＵ-ＳＥＳＳＩＯＮベースの伝送チャネルアップリンクアドレス、サービスフローベースの伝送チャネルアップリンクアドレス、又はＤＲＢベースの伝送チャネルアップリンクアドレスのうちの１つの形態である。
【００５２】
一実施形態では、ネットワーク要素（第１のネットワーク要素及び第２のネットワーク要素）とのＲＲＣ接続を確立する１つのＵＥが存在するので、ＰＤＵ-セッションベースの伝送チャネルアップリンクアドレスは、ＵＥによって確立されたＤＲＢ伝送チャネルアップリンクアドレスである。
【００５３】
一実施形態では、ネットワーク要素（第１のネットワーク要素及び第２のネットワーク要素）とのＲＲＣ接続を確立するＵＥが１つ又は複数のＰＤＵセッションをサポートする場合、ＰＤＵ-ＳＥＳＳＩＯＮベースの伝送チャネルアップリンクアドレスは、ＵＥによって現在サポートされている１つ又は複数のＰＤＵセッションのうちの１つの伝送チャネルアップリンクアドレスである。
【００５４】
一実施形態では、ＵＥがネットワーク要素（第１のネットワーク要素及び第２のネットワーク要素）とのＲＲＣ接続を確立するとき、サービスフローベースの伝送チャネルアップリンクアドレスは、ＵＥによって処理されている少なくとも１つのサービスフローの伝送チャネルアップリンクアドレスである。
【００５５】
一実施形態では、１つ又は複数のＤＲＢがネットワーク要素に割り当てられ、ＵＥがネットワーク要素（第１のネットワーク要素及び第２のネットワーク要素）とのＲＲＣ接続を確立するとき、ＤＲＢベースの伝送チャネルアップリンクアドレスは、ＵＥが確立又は変更すべき１つ又は複数のＤＲＢの伝送チャネルアップリンクアドレスである。
【００５６】
一実施形態では、割り当てられたチャネルが上位層に近いほど、第１のネットワーク要素と第２のネットワーク要素との間で交換することができる情報が多くなる。再構成要求メッセージは、各ＤＲＢの伝送チャネルアップリンクアドレス又は各ＵＥの伝送チャネルアップリンクアドレスを含む。各ＵＥのトンネル（ＴＵＮＮＥＬ）について、ＰＤＵプロセスレベルを考慮することができる。
【００５７】
一実施形態では、ＵＥ能力調整情報は、マルチ接続シナリオにおいて複数の第２のネットワーク要素間でＵＥ能力をどのように割り当てるかに関する情報である。一実施形態では、ＵＥ能力調整は、複数のＰＤＵセッションが存在するときに再実行される。
【００５８】
ステップ４０２において、第２のネットワーク要素によってフィードバックされたＵＥ無線ベアラコンテキストの再構成応答メッセージを受信した後に、第１のネットワーク要素は、第２のネットワーク要素がＵＥ無線ベアラコンテキストの情報の再構成を完了したことを判定する。ここで、再構成応答メッセージは、第２のＵＥ関連付けフラグ、ＤＲＢに関する構成情報、ＤＲＢ伝送チャネルダウンリンクアドレスに関する情報、変更されたＳＲＢに関する構成情報、及びＵＥ能力調整情報のうちの１つ又は複数を含む。
【００５９】
一実施形態では、第２のＵＥ関連付けフラグは、ＵＥを一意に識別するために第１のネットワーク要素によって割り当てられたインタフェースＡＰ  ＩＤと、第２のネットワーク要素によってＵＥに対して一意に割り当てられたインタフェースＡＰ  ＩＤと、Ｓ−ＴＭＳＩと、又はＲＡＮ  ＵＥ  ＩＤとを含む。
【００６０】
一実施形態では、ＤＲＢに関する構成情報は、第２のネットワーク要素によって設定されたＤＲＢのリスト、又は変更されたＤＲＢのリストを含む。一実施形態では、第２のネットワーク要素は、リソース条件に従って１つ又は複数のＤＲＢを受け入れるか、又は拒否する。
【００６１】
一実施形態では、ＤＲＢ伝送チャネルダウンリンクアドレスに関する情報は、各ＵＥの伝送チャネルダウンリンクアドレス、各プロトコルデータユニットＰＤＵセッション（ＳＥＳＳＩＯＮ）の伝送チャネルダウンリンクアドレス、各サービスフローの伝送チャネルダウンリンクアドレス、又は各ＤＲＢの伝送チャネルダウンリンクアドレスのうちの１つ又は複数の形態である。
【００６２】
一実施形態では、ステップ４０２において、第１のネットワーク要素がＵＥ無線ベアラコンテキストの再構成要求メッセージを伝送した後、第２のネットワーク要素が再構成に失敗した場合、第２のネットワーク要素は、ＵＥ無線ベアラコンテキストの再構成失敗メッセージを第１のネットワーク要素にフィードバックする。第１のネットワーク要素が、第２のネットワーク要素によってフィードバックされたＵＥ無線ベアラコンテキストの再構成失敗メッセージを受信すると、第１のネットワーク要素は、第２のネットワーク要素がＵＥ無線ベアラコンテキストの情報を再構成することに失敗したと判定する。再構成失敗メッセージは、第２のＵＥ関連付けフラグ及び失敗の原因のうちの１つ又は複数の情報を含む。
【００６３】
一実施形態では、第２のＵＥ関連付けフラグは、ＵＥを一意に識別するために第１のネットワーク要素によって割り当てられたインタフェースＡＰ  ＩＤと、ＵＥ又はＳ−ＴＭＳＩ又はＲＡＮ  ＵＥ  ＩＤを一意に識別するために第２のネットワーク要素によって割り当てられたインタフェースＡＰ  ＩＤである。
【００６４】
上記に鑑みて、前述の実施形態におけるＵＥ無線ベアラコンテキストを再構成するプロセスでは、第１のネットワーク要素及び第２のネットワーク要素は、ネットワーク要素間のフロントホールインタフェース上でユーザ情報管理を実施するように、第２のネットワーク要素においてユーザコンテキスト情報の再構成を実施することができる。
【００６５】
一実施形態は、ＵＥ無線ベアラコンテキストの情報を確立した後に、ＵＥ無線ベアラコンテキストを解放するプロセスをさらに含む、ユーザ情報管理のための方法を提供する。図５に示すように、解放プロセスは以下のステップを含む。
【００６６】
ステップ５０１において、第２のネットワーク要素におけるＵＥ無線ベアラコンテキストの情報が解放される必要があると判定されると、第１のネットワーク要素は、ＵＥ無線ベアラコンテキストの解放コマンドメッセージを第２のネットワーク要素に伝送する。解放コマンドメッセージは、第２のＵＥ関連付けフラグ及び失敗原因のうちの少なくとも１つを含む。
【００６７】
一実施形態では、第２のＵＥ関連付けフラグは、ＵＥを一意に識別するために第１のネットワーク要素によって割り当てられたインタフェースＡＰ  ＩＤと、ＵＥ又はＳ−ＴＭＳＩ又はＲＡＮ  ＵＥ  ＩＤを一意に識別するために第２のネットワーク要素によって割り当てられたインタフェースＡＰ  ＩＤとを含む。
【００６８】
ステップ５０２において、第２のネットワーク要素からＵＥ無線ベアラコンテキストの解放完了メッセージを受信すると、第１のネットワーク要素は、第２のネットワーク要素におけるＵＥ無線ベアラコンテキストの情報が解放されたと判定する。解放完了メッセージは、第２のＵＥ関連付けフラグを含む。
【００６９】
一実施形態では、第２のＵＥ関連付けフラグは、ＵＥを一意に識別するために第１のネットワーク要素によって割り振られたインタフェースＡＰ  ＩＤと、ＵＥ、又はＳ-ＴＭＳＩ又はＲＡＮ  ＵＥ  ＩＤを一意に識別するために第２のネットワーク要素によって割り振られたインタフェースＡＰ  ＩＤとを含む。
【００７０】
上記に鑑みて、前述の実施形態におけるUE無線ベアラコンテキストを解放するプロセスでは、第1のネットワーク要素及び第2のネットワーク要素は、第2のネットワーク要素においてユーザコンテキスト情報を削除して、ネットワーク要素間のフロントホールインタフェース上でユーザ情報管理を実施することができる。
【００７１】
一実施形態は、ユーザ情報を管理する方法を提供する。この実施形態では、ユーザ情報を管理するプロセスは、アプリケーションシナリオに関連して説明される。この実施形態では、第１のネットワーク要素はＣＵであり、第２のネットワーク要素はＤＵである。図６に示すように、この方法は以下のステップを含む。
【００７２】
ステップ６０１で、ＣＵは、ＵＥがＲＡＮへのアクセスを要請するＵＥのＲＲＣ接続要求メッセージを受信する。
【００７３】
ステップ６０２において、ＣＵ及びＤＵは、前述の実施形態に従って、ＤＵにおいてＵＥ無線ベアラコンテキストの情報を確立するプロセスを完了する。
【００７４】
ステップ６０３で、ＣＵは、ＲＲＣ接続セットアップメッセージをＵＥに伝送する。
【００７５】
ステップ６０４で、ＲＲＣ接続セットアップを完了した後、ＵＥは、ＲＲＣ接続セットアップ完了メッセージを返信して、ＵＥのＲＲＣ接続セットアップを完了する。
【００７６】
ステップ６０５において、ＣＵは、初期ＵＥメッセージを５Ｇコアネットワーク（NextGen Core、NGC）に伝送する。
【００７７】
ステップ６０６において、ＮＧＣは、初期コンテキストセットアップ要求メッセージをＣＵに伝送する。
【００７８】
ステップ６０７において、ＵＥの初期コンテキストセットアップ要求メッセージを受信すると、ＣＵは、搬送されたＰＤＵセッション（ＳＥＳＳＩＯＮ）情報に従って、前述の実施形態で説明したように、ＵＥ無線ベアラコンテキストをＤＵで再構成するプロセスを完了する。
【００７９】
一実施形態では、ＰＤＵセッションセットアッププロセスによってトリガされたＤＵのためのＵＥ無線ベアラコンテキストをＣＵが再構成するプロセスは、上記のプロセスと同じである。
【００８０】
ステップ６０８で、ＣＵは、ＲＲＣ接続再構成メッセージをＵＥに伝送する。
【００８１】
ステップ６０９で、ＲＲＣ接続再構成を完了した後、ＵＥはＲＲＣ接続再構成完了メッセージをＣＵに返信する。
【００８２】
ステップ６１０において、ＣＵは、初期コンテキストセットアップ応答メッセージをＮＧＣに伝送し、プロセスは終了する。
【００８３】
図６に示す実施形態の方法は、ＣＵとＤＵとの間のフロントホールインタフェース上でユーザ情報管理を実施することができ、第１のネットワーク要素と第２のネットワーク要素とが互いに分離されたアーキテクチャでユーザアクセス及び管理を可能にする。
【００８４】
一実施形態は、ユーザ情報管理を管理する方法を提供する。この実施形態は、アプリケーションシナリオに関連するＰＤＵセッション修正プロセスを説明する。図７に示すように、この方法は以下のステップを含む。
【００８５】
ステップ７０１において、ＮＧＣは、ＰＤＵセッション変更要求メッセージをＣＵに伝送する。
【００８６】
ステップ７０２において、ＰＤＵセッション変更要求メッセージを受信すると、ＣＵは、搬送されたＰＤＵセッション情報に従って、ＤＵにおけるＵＥ無線ベアラコンテキストの情報の変更を完了する。
【００８７】
ステップ７０３で、ＤＵは、変更が成功した場合、ＵＥの無線ベアラコンテキストの変更応答メッセージをＣＵにフィードバックする。
【００８８】
ステップ７０４において、ＣＵは、ＲＲＣ接続再構成メッセージをＵＥに伝送する。
【００８９】
ステップ７０５で、ＵＥは、接続再構成を完了した後、ＲＲＣ接続再構成完了メッセージをＣＵに返信する。
【００９０】
ステップ７０６において、ＣＵは、ＰＤＵセッション変更完了メッセージをＮＧＣに伝送し、プロセスは終了する。
【００９１】
図７に示した実施形態で説明したようなＰＤＵセッション変更処理により、ＣＵとＤＵとの間のフロントホールインタフェース上のユーザ情報管理を実施することができ、第１のネットワーク要素と第２のネットワーク要素とが分離されたアーキテクチャでのユーザアクセス及び管理を可能にする。
【００９２】
一実施形態は、ユーザ情報管理のための方法を提供する。この実施形態は、アプリケーションシナリオに関連するユーザコンテキスト解放プロセスを説明する。図８に示すように、この方法は以下のステップを含む。
【００９３】
ステップ８０１において、ＮＧＣは、ＵＥコンテキスト解放要求メッセージ（ＵＥコンテキスト解放コマンド）をＣＵに伝送する。
【００９４】
ステップ８０２で、ＣＵは、ＵＥコンテキスト解放要求メッセージを受信した後、ＲＲＣ接続解放メッセージをＵＥに伝送する。
【００９５】
ステップ８０３で、ＵＥは、ＲＲＣ接続解放を完了した後、ＤＵを介してＣＵにＲＲＣ接続解放完了メッセージを伝送する。
【００９６】
ステップ８０４において、ＣＵは、搬送されたユーザ情報に従って、前述の実施形態で説明したように、ＤＵにおけるＵＥ無線ベアラコンテキストの解放を完了する。
【００９７】
ステップ８０５において、ＤＵは、ＵＥ無線ベアラコンテキスト解放完了メッセージをＣＵに伝送する。
【００９８】
ステップ８０６において、ＣＵは、ＵＥコンテキスト削除完了メッセージをＮＧＣに伝送し、プロセスは終了する。
【００９９】
一実施形態では、ＵＥは、１つのＰＤＵセッションのみをサポートする。ＰＤＵセッション解放プロセスを受信すると、ＣＵは、ＣＵとＤＵとの間のＵＥ無線ベアラコンテキスト解放プロセスをトリガすることもできる。
【０１００】
一実施形態では、ＵＥが複数のＰＤＵセッションをサポートする場合、ＣＵは、ＰＤＵセッション解放プロセスを受信するときに、ＣＵとＤＵとの間のＵＥ無線ベアラコンテキスト解放プロセスをトリガせず、ＵＥ無線ベアラコンテキスト再構成プロセスを再使用する。
【０１０１】
図８に示す実施形態によって提供されるユーザコンテキスト解放プロセスを用いて、ＣＵとＤＵとの間のフロントホールインタフェース上のユーザ情報管理を実施することができ、第１のネットワーク要素と第２のネットワーク要素とが互いに分離されたアーキテクチャにおいてユーザアクセス及び管理を可能にする。
【０１０２】
一実施形態は、ユーザ情報管理のためのシステムを提供する。図９に示すように、ユーザ情報管理システムは、第１のネットワーク要素９１０及び第２のネットワーク要素９２０を含む。第１のネットワーク要素９１０と第２のネットワーク要素９２０との間には、フロントホールインタフェースが存在する。
【０１０３】
第１のネットワーク要素９１０は、コンテキストセットアップ要求モジュール９１１を含む。
【０１０４】
コンテキストセットアップ要求モジュール９１１は、ユーザ機器（ＵＥ）無線ベアラコンテキストのセットアップ要求メッセージを第２のネットワーク要素に伝送し、第２のネットワーク要素によってフィードバックされるＵＥ無線ベアラコンテキストのセットアップ応答メッセージを受信すると、ＵＥ無線ベアラコンテキストの情報が第２のネットワーク要素において確立されたと判定するように構成される。ここで、セットアップ要求メッセージは、第１のＵＥ関連付けフラグ、シグナリング無線ベアラ（ＳＲＢ）に関する構成情報、及びＳＲＢ伝送チャネルアップリンクアドレスに関する情報のうちの１つ又は複数を含む。
【０１０５】
第２のネットワーク要素９２０は、コンテキストセットアップモジュール９２１を含む。
【０１０６】
コンテキストセットアップモジュール９２１は、第１のネットワーク要素からＵＥ無線ベアラコンテキストのセットアップ要求メッセージを受信すると、ＵＥ無線ベアラコンテキストの情報をローカルに確立し、セットアップが成功すると、ＵＥ無線ベアラコンテキストのセットアップ応答メッセージを第１のネットワーク要素にフィードバックするように構成される。ここで、セットアップ応答メッセージは、第２のネットワーク要素によって設定されたＳＲＢに関する構成情報、変更されたＳＲＢに関する構成情報、第２のＵＥ関連付けフラグ、ＳＲＢ伝送チャネルダウンリンクアドレスに関する情報、及び構成変更のための原因値のうちの１つ又は複数を含む。
【０１０７】
一実施形態では、コンテキストセットアップモジュール９２１は、ＵＥ無線ベアラコンテキストの情報を確立することに失敗した場合に、ＵＥ無線ベアラコンテキストのセットアップ失敗メッセージを第１のネットワーク要素にフィードバックするようにさらに構成される。セットアップ失敗メッセージは、第２のＵＥ関連付けフラグ及び失敗の原因のうちの１つ又は複数を含む。
【０１０８】
一実施形態では、第１のネットワーク要素９１０は、コンテキスト再構成要求モジュール９１２をさらに含み、第２のネットワーク要素９２０は、コンテキスト再構成モジュール９２２をさらに含む。
【０１０９】
コンテキスト再構成要求モジュール９１２は、第２のネットワーク要素においてＵＥ無線ベアラコンテキストの情報が再構成される必要があると判定すると、ＵＥ無線ベアラコンテキストの再構成要求メッセージを第２のネットワーク要素に伝送し、第２のネットワーク要素によってフィードバックされたＵＥ無線ベアラコンテキストの再構成応答メッセージを受信すると、第２のネットワーク要素がＵＥ無線ベアラコンテキストの情報の再構成を完了したと判定するように構成される。ここで、再構成要求メッセージは、第１のＵＥ関連付けフラグ、データ無線ベアラ（ＤＲＢ）に関する構成情報、ＤＲＢ伝送チャネルアップリンクアドレスに関する情報、変更されたＳＲＢに関する構成情報、及びＵＥ能力調整情報のうちの１つ又は複数を含む。
【０１１０】
コンテキスト再構成モジュール９２２は、第１のネットワーク要素からＵＥ無線ベアラコンテキストの再構成要求メッセージを受信すると、ＵＥ無線ベアラコンテキストの確立された情報を再構成し、再構成が成功すると、ＵＥ無線ベアラコンテキストの再構成応答メッセージを第１のネットワーク要素にフィードバックするように構成される。ここで、構成応答メッセージは、第２のネットワーク要素によって設定されたＤＲＢに関する構成情報、変更されたＤＲＢに関する構成情報、第２のＵＥ関連付けフラグ、ＤＲＢ伝送チャネルダウンリンクアドレスに関する情報、変更されたＳＲＢに関する構成情報、及びＵＥ能力調整情報のうちの１つ又は複数を含む。
【０１１１】
一実施形態では、ＤＲＢ伝送チャネルアップリンクアドレスに関する情報は、各ＵＥの伝送チャネルアップリンクアドレス、各プロトコルデータユニット（ＰＤＵ）セッションの伝送チャネルアップリンクアドレス、各サービスフローの伝送チャネルアップリンクアドレス、又は各ＤＲＢのＤＲＢ伝送チャネルアップリンクアドレスを含む。
【０１１２】
一実施形態では、ＤＲＢ伝送チャネルダウンリンクアドレスに関する情報は、各ＵＥの伝送チャネルダウンリンクアドレス、各プロトコルデータユニット（ＰＤＵ）セッションの伝送チャネルダウンリンクアドレス、各サービスフローの伝送チャネルダウンリンクアドレス、又は各ＤＲＢのＤＲＢ伝送チャネルダウンリンクアドレスを含む。
【０１１３】
一実施形態では、コンテキスト再構成モジュール９２２は、再構成が失敗したときに、ＵＥ無線ベアラコンテキストの再構成失敗メッセージを第１のネットワーク要素にフィードバックするようにさらに構成される。再構成失敗メッセージは、第２のＵＥ関連付けフラグ及び失敗の原因のうちの少なくとも１つを含む。
【０１１４】
一実施形態では、第１のネットワーク要素９１０は、コンテキスト解放要求モジュール９１３をさらに含み、第２のネットワーク要素９２０は、コンテキスト解放モジュール９２３をさらに含む。
【０１１５】
コンテキスト解放要求モジュール９１３は、第２のネットワーク要素においてＵＥ無線ベアラコンテキストの情報が解放される必要があると判定したときに、ＵＥ無線ベアラコンテキストの解放コマンドメッセージを第２のネットワーク要素に伝送するように構成される。解放コマンドメッセージは、第１のＵＥ関連付けフラグ及び解放の原因のうちの少なくとも１つを含む。
【０１１６】
コンテキスト解放モジュール９２３は、ＵＥ無線ベアラコンテキストの解放コマンドメッセージを受信するとコンテキスト解放を実行し、ＵＥ無線ベアラコンテキストの解放完了メッセージを第１のネットワーク要素にフィードバックするように構成され、解放完了メッセージは、第２のＵＥ関連付けフラグを含む。
【０１１７】
一実施形態では、第１のＵＥ関連付けフラグ（第１のネットワーク要素９１０によって第２のネットワーク要素９２０に伝送されるメッセージに含まれるＵＥ関連付けフラグ）は、ＵＥを一意に識別するために第１のネットワーク要素によって割り振られたアプリケーション層プロトコル（ＡＰ）識別子（ＩＤ）、又は一時的なモバイル加入者識別（Ｓ-ＴＭＳＩ）、又はレジデンシャルアクセスネットワーク（ＲＡＮ）  ＵＥ  ＩＤを含む。
【０１１８】
一実施形態では、第２のＵＥ関連付けフラグ（第２のネットワーク要素９２０が第１のネットワーク要素９１０にフィードバックするメッセージに含まれるＵＥ関連付けフラグ）は、ＵＥを一意に識別するために第１のネットワーク要素によって割り当てられたインタフェースＡＰ  ＩＤと、ＵＥ、又はＳ-ＴＭＳＩ、又はＲＡＮ  ＵＥ  ＩＤを一意に識別するために第２のネットワーク要素によって割り当てられたインタフェースＡＰ  ＩＤとを含む。
【０１１９】
また、上記実施の形態に係るユーザ情報管理システムによれば、ＣＵとＤＵとの間のフロントホールインタフェースにおけるユーザ情報管理を実現することができ、第１のネットワーク要素と第２のネットワーク要素とを分離したアーキテクチャにおいて、ユーザのアクセス及び管理を行うことができる。
【０１２０】
一実施形態は、図１０に示すように、ユーザ情報を管理するためのシステムを提供する。このシステムは、第１のネットワーク要素１０１０及び第２のネットワーク要素１０２０を含む。
【０１２１】
第１のネットワーク要素１０１０は、第１のメモリ１０１１及び第１のプロセッサ１０１２を含む。第１のメモリ１０１１は、その中に格納されたコンピュータ命令を有し、第１のプロセッサ１０１２は、以下の方法を実施するためにコンピュータ命令を実行する。
【０１２２】
ＵＥ無線ベアラコンテキストのセットアップ要求メッセージは、第２ネットワーク要素１０２０に送信される。第２ネットワーク要素１０２０によってフィードバックされたＵＥ無線ベアラコンテキストのセットアップ応答メッセージを受信されると、ＵＥ無線ベアラコンテキストの情報が第２ネットワーク要素１０２０によって確立されたと判定される。セットアップ要求メッセージは、第１ＵＥ関連付けフラグ、シグナリング無線ベアラ（ＳＲＢ）に関する構成情報、及びＳＲＢ伝送チャネルアップリンクアドレスに関する情報のうちの１つ又は複数を含む。
【０１２３】
第２のネットワーク要素１０２０は、第２のメモリ１０２１及び第２のプロセッサ１０２２を含む。第２のメモリ１０２１には、コンピュータ命令が格納され、第２のプロセッサ１０２２は、コンピュータ命令を実行して以下の方法を実施する。
【０１２４】
第１のネットワーク要素１０１０からＵＥ無線ベアラコンテキストのセットアップ要求メッセージを受信すると、ＵＥ無線ベアラコンテキストの情報がローカルに確立される。セットアップが成功すると、ＵＥ無線ベアラコンテキストのセットアップ応答メッセージが第１のネットワーク要素１０１０にフィードバックされる。セットアップ応答メッセージには、第２のネットワーク要素によって設定されたＳＲＢに関する構成情報、構成変更されたＳＲＢに関する情報、第２のＵＥ関連付けフラグ、ＳＲＢ伝送チャネルダウンリンクアドレスに関する情報、及び構成変更のための原因値のうちの１又は複数の情報が含まれる。
【０１２５】
一実施形態では、第２のプロセッサ１０２２はさらに、ＵＥ無線ベアラコンテキストの情報の確立に失敗した場合、ＵＥ無線ベアラコンテキストのセットアップ失敗メッセージを第１のネットワーク要素１０１０にフィードバックするように構成される。セットアップ失敗メッセージには、第２のＵＥ関連付けフラグと失敗の原因のうち、少なくとも１つの情報が含まれる。
【０１２６】
一実施形態では、第１のプロセッサ１０１２はさらに、第２のネットワーク要素１０２０におけるＵＥ無線ベアラコンテキストの情報が再構成されることが必要であると判定されると、第２のネットワーク要素１０２０にＵＥ無線ベアラコンテキストの再構成要求メッセージを送信するように構成される。再構成要求メッセージは、第１のＵＥ関連付けフラグ、データ無線ベアラ（ＤＲＢ）に関する構成情報、ＤＲＢ伝送チャネルアップリンクアドレスに関する情報、変更されたＳＲＢに関する構成情報、又はＵＥ機能調整情報のうちの少なくとも１つを含む。
【０１２７】
一実施形態では、第２のプロセッサ１０２２は、ＵＥ無線ベアラコンテキストの再構成要求メッセージを受信すると、ＵＥ無線ベアラコンテキストの確立された情報を再構成し、再構成が成功した場合のＵＥ無線ベアラの再構成応答メッセージを第１のネットワーク要素１０１０へフィードバックするように構成される。再構成応答メッセージには、第２ネットワーク要素１０２０によって設定されたＤＲＢに関する構成情報、変更されたＤＲＢに関する構成情報、第２のＵＥ関連付けフラグ、ＤＲＢ伝送チャネルダウンリンクアドレスに関する情報、構成変更されたＳＲＢに関する情報、及びＵＥ機能調整情報のうちの少なくとも１つが含まれる。
【０１２８】
一実施形態では、ＤＲＢ伝送チャネルのアップリンク又はダウンリンクのアドレスに関する情報は、各ＵＥの伝送チャネルアップリンク又はダウンリンクアドレス、各プロトコルデータユニット（ＰＤＵ）セッションの伝送チャネルのアップリンク又はダウンリンクのアドレス、各サービスフローの伝送チャネルのアップリンク又はダウンリンクのアドレス、又は各ＤＲＢのＤＲＢ伝送チャネルアップリンク又はダウンリンクのアドレスを含む。
【０１２９】
一実施形態では、第２のプロセッサ１０２２は、更に、再構成が失敗したときに、ＵＥ無線ベアラコンテキストの再構成失敗メッセージを第１のネットワーク要素１０１０にフィードバックするように構成される。再構成失敗メッセージは、第２のＵＥ関連付けフラグと失敗の原因のうち、少なくとも１つの情報を含む。
【０１３０】
一実施形態では、第１のプロセッサ１０１２は、更に、第２のネットワーク要素１０２０におけるＵＥ無線ベアラコンテキストの情報が解放される必要があると判定されると、ＵＥ無線ベアラコンテキストの解放コマンドメッセージを第２のネットワーク要素１０２０に送信するように構成される。解放コマンドメッセージには、第１のＵＥ関連付けフラグと解放の原因のうちの少なくとも１つが含まれる。
【０１３１】
一実施形態では、第２のプロセッサ１０２２は、更に、ＵＥ無線ベアラコンテキストの解放コマンドメッセージを受信すると、コンテキスト解放を実行し、ＵＥ無線ベアラコンテキストの解放完了メッセージを第１のネットワーク要素１０１０にフィードバックするように構成される。解放完了メッセージは、第２のＵＥ関連付けフラグを含む。
【０１３２】
一実施形態では、第１のプロセッサ１０１２によって第２のプロセッサ１０２２に送信されるメッセージは、ＵＥ関連付けフラグ（すなわち、第１のＵＥ関連付けフラグ）を含む。このＵＥ関連付けフラグは、ＵＥを一意に識別するために第１ネットワーク要素によって割り当てられたアプリケーション層プロトコル（ＡＰ）識別子（ＩＤ）、又は一時的なモバイル加入者ＩＤ（Ｓ−ＴＭＳＩ）、又は無線アクセスネットワーク（ＲＡＮ）ＵＥ  ＩＤを含む。
【０１３３】
第２のプロセッサ１０２２によって第１のプロセッサ１０１２にフィードバックされるメッセージは、ＵＥ関連付けフラグ（すなわち、第２のＵＥ関連付けフラグ）を含み、これは、ＵＥを一意に識別するために第１のネットワーク要素によって割り当てられたインタフェースＡＰ  ＩＤ及びＵＥ、Ｓ−ＴＭＳＩ、又はＲＡＮ  ＵＥ  ＩＤを一意に識別するために、第２のネットワーク要素によって割り当てられたインタフェースＡＰ  ＩＤを含む。
【０１３４】
前述の実施形態で提供されるユーザ情報管理システムは、第１のネットワーク要素と第２のネットワーク要素との間のフロントホールインタフェース上でユーザ情報管理を実施し、第１のネットワーク要素と第２のネットワーク要素とが互いに分離された構造においてユーザアクセス及び管理を可能にする。
【０１３５】
一実施形態では、上記実施形態の様々な方法のステップの全部または一部は、プログラムを使用して関連するハードウェアに指示することにより実装され、プログラムは読み取り専用を含むコンピュータ可読記憶媒体に格納され得る。可読記憶媒体は、例えばメモリ（ＲＯＭ）、ランダムアクセスメモリ（ＲＡＭ）、磁気ディスク、コンパクトディスクなどである。
【０１３６】
一実施形態は、コンピュータ可読記憶媒体を提供し、可読記憶媒体は、上記の実施形態のいずれかで説明した方法を実行するように構成されたコンピュータ可読命令を格納する。
【０１３７】
一実施形態では、上記の技術的解決手段は、１又は複数の命令を含む記憶媒体に格納されたソフトウェア製品の形式で具現化される。１又は複数の命令は、コンピュータデバイス（パーソナルコンピュータ、サーバ、ネットワーク装置など）に、上記の実施の形態において説明した方法のステップの全部又は一部を実行させる。
【０１３８】
（産業上の利用可能性）
ユーザ情報管理方法及びデバイスは、第１のネットワーク要素と第２のネットワーク要素との間のフロントホールインタフェース上でユーザ情報管理を実施することができる。
【図１】
2020511087.tif 000003
【図２】
2020511087.tif 000004
【図３】
2020511087.tif 000005
【図４】
2020511087.tif 000006
【図５】
2020511087.tif 000007
【図６】
2020511087.tif 000008
【図７】
2020511087.tif 000009
【図８】
2020511087.tif 000010
【図９】
2020511087.tif 000011
【図１０】
2020511087.tif 000012
【手続補正書】
【提出日】令和1年11月15日(2019.11.15)
【手続補正２】
【補正対象書類名】特許請求の範囲
【補正対象項目名】全文
【補正方法】変更
【補正の内容】
【特許請求の範囲】
【請求項１】
無線通信のための方法において、
集中ユニットにより、前記集中ユニットとフロントホールインタフェースを介して通信する分散ユニットに向けて、ユーザ機器（ＵＥ）無線ベアラコンテキストを確立するためのセットアップ要求メッセージを送信するステップであって、前記セットアップ要求メッセージは、前記ＵＥを一意に識別するため前記集中ユニットにより割り当てられる第１アプリケーション層プロトコル（ＡＰ）識別子（ＩＤ）と、一又は複数のシグナリング無線ベアラについての構成情報とを含むステップと、
前記集中ユニットにより、前記分散ユニットが前記ＵＥ無線ベアラコンテキストを確立したことを示すセットアップ応答メッセージを前記分散ユニットから受信するステップであって、前記セットアップ応答メッセージは、前記ＵＥを一意に識別するため前記集中ユニットにより割り当てられる前記第１ＡＰ  ＩＤと、前記ＵＥを一意に識別するため前記分散ユニットにより割り当てられる第２ＡＰ  ＩＤと、前記分散ユニットにより設定された一又は複数のシグナル無線ベアラについての構成情報とを含むステップと、
前記集中ユニットから前記分散ユニットに、前記ＵＥ無線ベアラコンテキストを変更するための再構成要求メッセージを送信するステップであって、前記再構成要求メッセージは、前記ＵＥを一意に識別するため前記集中ユニットにより割り当てられる前記第１ＡＰ  ＩＤと、前記ＵＥを一意に識別するために前記分散ユニットにより割り当てられる第２ＡＰ  ＩＤと、一又は複数のデータ無線ベアラについての構成情報とを含むステップと、
前記集中ユニットにより、前記分散ユニットが前記ＵＥ無線ベアラコンテキストを変更したことを示す前記分散ユニットからの再構成応答メッセージを受信するステップであって、前記再構成応答メッセージは、前記ＵＥを一意に識別するため前記集中ユニットにより割り当てられる第１ＡＰ  ＩＤと、前記ＵＥを一意に識別するため前記分散ユニットにより割り当てられる第２ＡＰ  ＩＤと、変更されたデータ無線ベアラのリストを含むステップと
を含む、無線通信のための方法。
【請求項２】
前記集中ユニットにより、前記分散ユニットが前記ＵＥ無線ベアラコンテキストを確立することに失敗したことを示すセットアップ失敗メッセージを受信するステップを更に備え、前記セットアップ失敗メッセージは、前記ＵＥを一意に識別するため前記集中ユニットにより割り当てられる前記第１ＡＰ  ＩＤと、前記ＵＥを一意に識別するため前記分散ユニットにより割り当てられる第２ＡＰ  ＩＤと、失敗の原因とを含む、請求項１に記載の方法。
【請求項３】
前記分散ユニットにおける前記ＵＥ無線ベアラコンテキストの変更が失敗したことを示す再構成失敗メッセージを前記分散ユニットから前記集中ユニットにより受信するステップを更に含み、
前記再構成失敗メッセージは、前記集中ユニットにより前記ＵＥを一意に識別する前記第１ＡＰ  ＩＤと、前記分散ユニットにより前記ＵＥを一意に識別する前記第２ＡＰ  ＩＤと、失敗の原因とを含む、請求項２に記載の方法。
【請求項４】
無線通信のための方法であって、
分散ユニットにおいて、前記分散ユニットと通信する集中ユニットから、フロントホールインタフェースを介して、ユーザ機器（ＵＥ）無線ベアラコンテキストを確立するためのセットアップ要求メッセージを受信するステップであって、前記セットアップ要求メッセージは、前記ＵＥを一意に識別するため前記集中ユニットにより割り当てられる第１アプリケーション層プロトコル（ＡＰ）識別子（ＩＤ）と、一又は複数のシグナリング無線ベアラについての構成情報とを含むステップと
前記分散ユニットから、前記集中ユニットに対し、前記分散ユニットが前記ＵＥ無線ベアラコンテキストを確立したことを示すセットアップ応答メッセージを受信するステップであって、前記セットアップ応答メッセージは、前記ＵＥを一意に識別するため前記集中ユニットにより割り当てられる前記第１ＡＰ  ＩＤと、前記ＵＥを一意に識別するため前記分散ユニットにより割り当てられる第２ＡＰ  ＩＤと、前記分散ユニットにより設定される位置又は複数のシグナル無線ベアラについての構成情報とを含むステップと、
前記分散ユニットにおいて、前記ＵＥ無線ベアラコンテキストを変更するための再構成要求メッセージを前記集中ユニットから受信するステップであって、前記再構成要求メッセージは、前記ＵＥを一意に識別するため前記集中ユニットにより割り当てられる前記第１ＡＰ  ＩＤと、前記ＵＥを一意に識別するために前記分散ユニットにより割り当てられる第２ＡＰ  ＩＤと、一又は複数のデータ無線ベアラについての構成情報とを含むステップと、
前記分散ユニットにより、前記分散ユニットが前記ＵＥ無線ベアラコンテキストを変更したことを示す再構成応答メッセージを前記集中ユニットに送信するステップであって、前記再構成応答メッセージは、前記ＵＥを一意に識別するため前記集中ユニットにより割り当てられる第１ＡＰ  ＩＤと、前記ＵＥを一意に識別するため前記分散ユニットにより割り当てられる第２ＡＰ  ＩＤと、変更されたデータ無線ベアラのリストを含むステップと
を含む方法。
【請求項５】
前記分散ユニットにより、前記分散ユニットが前記ＵＥ無線ベアラコンテキストの確立に失敗したことを示すセットアップ失敗メッセージを送信するステップであって、前記セットアップ失敗メッセージは、前記ＵＥを一意に識別するため前記集中ユニットにより割り当てられる前記第１ＡＰ  ＩＤと、前記ＵＥを一意に識別するために前記分散ユニットにより割り当てられる第２ＡＰ  ＩＤと、失敗の原因とを含む、請求項４に記載の方法。
【請求項６】
前記再構成要求メッセージは、前記一又は複数のデータ無線ベアラの各々の伝送チャネルアップリンクアドレスを含む、請求項１又は４に記載の方法。
【請求項７】
前記再構成応答メッセージは、前記変更されたデータ無線ベアラの伝送チャネルダウンリンクアドレスを含む、請求項１又は４に記載の方法。
【請求項８】
前記分散ユニットにより、前記分散ユニットにおける前記ＵＥ無線ベアラコンテキストの変更が失敗したことを示す再構成失敗メッセージを前記集中ユニットに送信するステップを更に備え、前記再構成失敗メッセージは、前記集中ユニットにより前記ＵＥを一意に識別第１ＡＰ  ＩＤと、前記分散ユニットにより一意に前記ＵＥを識別する第２ＡＰ  ＩＤと、失敗の原因とを含む、請求項４に記載の方法。
【請求項９】
プロセッサと、
プロセッサで実行可能な命令を含むメモリとを備える無線通信装置であって、
前記プロセッサで実行可能な命令は、前記プロセッサにより実行される場合、前記プロセッサに、
・分散ユニットに向けて、フロントホールインタフェースを介して、ユーザ機器（ＵＥ）無線ベアラコンテキストを確立するためのセットアップ要求メッセージを送信するステップであって、前記セットアップ要求メッセージは、前記ＵＥを一意に識別するため前記装置により割り当てられる第１アプリケーション層プロトコル（ＡＰ）識別子（ＩＤ）と、一又は複数のシグナリング無線ベアラについての構成情報とを含むステップと、
・前記分散ユニットが前記ＵＥ無線ベアラコンテキストを確立したことを示す前記分散ユニットからセットアップ応答メッセージを受信するステップであって、前記セットアップ応答メッセージは、前記ＵＥを一意に識別するため前記装置により割り当てられる前記第１ＡＰ  ＩＤと、前記ＵＥを一意に識別するため前記分散ユニットにより割り当てられる前記第２ＡＰ  ＩＤと、前記分散ユニットにより設定された一又は複数のシグナル無線ベアラについての構成情報とを含むステップと、
・前記分散ユニットに、前記ＵＥ無線ベアラコンテキストを変更するための再構成要求メッセージを送信するステップであって、前記再構成要求メッセージは、前記ＵＥを一意に識別するため前記装置により割り当てられる前記第１ＡＰ  ＩＤと、前記ＵＥを一意に識別するために前記分散ユニットにより割り当てられる第２ＡＰ  ＩＤと、一又は複数のデータ無線ベアラについての構成情報とを含むステップと、
・前記分散ユニットが前記ＵＥ無線ベアラコンテキストを変更したことを示す前記分散ユニットからの再構成応答メッセージを受信するステップであって、前記再構成応答メッセージは、前記ＵＥを一意に識別するため前記装置により割り当てられる第１ＡＰ  ＩＤと、前記ＵＥを一意に識別するため前記分散ユニットにより割り当てられる第２ＡＰ  ＩＤと、変更されたデータ無線ベアラのリストを含むステップと
を実行させる、無線通信装置。
【請求項１０】
前記プロセッサで実行可能な命令は、前記プロセッサにより実行される場合、前記プロセッサに、前記分散ユニットが前記ＵＥ無線ベアラコンテキストを確立することに失敗したことを示すセットアップ失敗メッセージを受信するステップを実行させ、
前記セットアップ失敗メッセージは、前記ＵＥを一意に識別するため前記装置により割り当てられる前記第１ＡＰ  ＩＤと、前記ＵＥを一意に識別するため前記分散ユニットにより割り当てられる第２ＡＰ  ＩＤと、失敗の原因とを含む、請求項９に記載の無線通信装置。
【請求項１１】
前記プロセッサで実行可能な命令は、前記プロセッサにより実行される場合、前記プロセッサに、前記分散ユニットにおいて前記ＵＥ無線ベアラコンテキストの変更が失敗したことを示す再構成失敗メッセージを前記分散ユニットから受信するステップを実行させ、
前記再構成失敗メッセージは、前記ＵＥを一意に識別するため前記装置により割り当てられる前記第１ＡＰ  ＩＤと、前記ＵＥを一意に識別するため前記分散ユニットにより割り当てられる第２ＡＰ  ＩＤと、失敗の原因とを含む、
を実行させる、請求項９に記載の無線通信装置。
【請求項１２】
プロセッサと、
プロセッサで実行可能な命令を含むメモリとを備える無線通信装置であって、
前記プロセッサで実行可能な命令は、前記プロセッサにより実行される場合、前記プロセッサに、
・前記集中ユニットから、フロントホールインタフェースを介して、ユーザ機器（ＵＥ）無線ベアラコンテキストを確立するためのセットアップ要求メッセージを受信するステップであって、前記セットアップ要求メッセージは、前記ＵＥを一意に識別するため前記集中ユニットにより割り当てられる第１アプリケーション層プロトコル（ＡＰ）識別子（ＩＤ）と、一又は複数のシグナリング無線ベアラについての構成情報とを含むステップと、
・前記集中ユニットに対し、前記ＵＥ無線ベアラコンテキストが確立されたことを示すセットアップ応答メッセージを送信するステップであって、前記セットアップ応答メッセージは、前記ＵＥを一意に識別するため前記集中ユニットにより割り当てられる前記第１ＡＰ  ＩＤと、前記ＵＥを一意に識別するため前記装置により割り当てられる前記第２ＡＰ  ＩＤと、一又は複数のシグナル無線ベアラについての構成情報とを含むステップと、
・前記集中ユニットから、前記ＵＥ無線ベアラコンテキストを変更するための再構成要求メッセージを受信するステップであって、前記再構成要求メッセージは、前記ＵＥを一意に識別するため前記集中ユニットにより割り当てられる前記第１ＡＰ  ＩＤと、前記ＵＥを一意に識別するために前記装置により割り当てられる第２ＡＰ  ＩＤと、一又は複数のデータ無線ベアラについての構成情報とを含むステップと、
・前記ＵＥ無線ベアラコンテキストが変更されたことを示す再構成応答メッセージを送信するステップであって、前記再構成応答メッセージは、前記ＵＥを一意に識別するため前記装置により割り当てられる第１ＡＰ  ＩＤと、前記ＵＥを一意に識別するため前記装置により割り当てられる第２ＡＰ  ＩＤと、変更されたデータ無線ベアラのリストを含むステップと
を実行させる、無線通信装置。
【請求項１３】
前記プロセッサで実行可能な命令は、前記プロセッサにより実行される場合、前記プロセッサに、
前記集中ユニットにより、前記ＵＥ無線ベアラコンテキストを確立することに失敗したことを示すセットアップ失敗メッセージを送信するステップを実行させ、
前記セットアップ失敗メッセージは、前記ＵＥを一意に識別するため前記集中ユニットにより割り当てられる前記第１ＡＰ  ＩＤと、前記ＵＥを一意に識別するため前記装置により割り当てられる第２ＡＰ  ＩＤと、失敗の原因とを含む、請求項１２に記載の無線通信装置。
【請求項１４】
前記再構成要求メッセージは、前記一又は複数のデータ無線ベアラの各々の伝送チャネルアップリンクアドレスを含む、請求項９又は１２に記載の無線通信装置。
【請求項１５】
前記再構成応答メッセージは、変更されたデータ無線ベアラの各々の伝送チャネルダウンリンクアドレスを含む、請求項９又は１２に記載の無線通信装置。
【請求項１６】
前記プロセッサで実行可能な命令は、前記プロセッサにより実行される場合、前記プロセッサに、前記ＵＥ無線ベアラコンテキストの変更が失敗したことを示す再構成失敗メッセージを前記集中ユニットに向けて送信させ、
前記再構成失敗メッセージは、前記集中ユニットにより前記ＵＥを一意に識別する前記第１ＡＰ  ＩＤと、前記装置により前記ＵＥを一意に識別する前記第２ＡＰ  ＩＤと、失敗の原因とを含む、請求項１２に記載の無線通信装置。
【国際調査報告】
2020511087.tif 000013
2020511087.tif 000014
2020511087.tif 000015
2020511087.tif 000016
2020511087.tif 000017